(57)【要約】  本明細書で説明するいくつかの態様は、ユーザ機器（ＵＥ）バッテリーの電圧ドループに関連する性能悪影響を低減する。たとえば、本明細書で説明する態様は、ＵＥのバッテリー電圧が限界しきい値を下回ることを防止し、および／またはバッテリー電圧が限界しきい値を下回る可能性を低減する、バッテリー回復時間期間を含むパターンを用いてＵＥを構成するために使用され得る。このようにして、ＵＥ性能が改善される、バッテリー性能が改善される、バッテリー寿命が延ばされるなどしてよい。
2020521394.tif 000002
【特許請求の範囲】
【請求項１】
ワイヤレス通信の方法であって、
ユーザ機器（ＵＥ）によってパターンを識別することと、前記パターンが、前記ＵＥの少なくとも１つのバッテリーの電圧が電圧ドループから回復するバッテリー回復時間期間を識別する、
前記パターンに少なくとも部分的に基づいて前記ＵＥによって前記バッテリー回復時間期間を構成することと、
前記パターンに少なくとも部分的に基づいて前記ＵＥによって基地局と通信することと
を備える方法。
【請求項２】
前記パターンが、異なるバッテリー回復時間期間を含む複数のパターンから選択される、請求項１に記載の方法。
【請求項３】
前記パターンが前記ＵＥによって要求される、請求項１に記載の方法。
【請求項４】
前記パターンが前記基地局によって前記ＵＥに示される、請求項１に記載の方法。
【請求項５】
前記パターンが、
システム情報ブロック、
無線リソース制御シグナリングメッセージ、または
それらの組合せのうちの少なくとも１つの中で前記ＵＥに示される、
請求項１に記載の方法。
【請求項６】
前記パターンが、前記ＵＥに関連する１つまたは複数のパラメータに少なくとも部分的に基づいて識別される、請求項１に記載の方法。
【請求項７】
前記１つまたは複数のパラメータが、
前記ＵＥに関連する送信電力、
前記ＵＥの１つまたは複数の通信に関連するペイロードサイズ、
前記ＵＥの１つまたは複数の通信の送信の長さ、
前記ＵＥに関連する反復の回数、
前記少なくとも１つのバッテリーの特性、
前記少なくとも１つのバッテリーに関連する１つまたは複数の測定値に少なくとも部分的に基づいて決定される、前記少なくとも１つのバッテリーのバッテリーパラメータ、
前記ＵＥのモビリティ特性、
前記ＵＥの能力、
前記ＵＥのカテゴリー、または
それらの組合せのうちの少なくとも１つを含む、
請求項６に記載の方法。
【請求項８】
前記少なくとも１つのバッテリーの前記特性が、
前記少なくとも１つのバッテリーのピーク電流、
前記少なくとも１つのバッテリーに関連する前記電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
請求項７に記載の方法。
【請求項９】
前記１つまたは複数のパラメータが、電力ヘッドルーム報告または帯域内シグナリングに関連して前記基地局に報告される、請求項６に記載の方法。
【請求項１０】
前記パターンが、前記１つまたは複数のパラメータに少なくとも部分的に基づいて前記基地局によって前記ＵＥに示される、請求項６に記載の方法。
【請求項１１】
前記パターンが、
前記ＵＥが通信を受信することが許容されるが通信を送信することは許容されない第１の時間期間、
前記ＵＥが通信を送信することが許容されるが通信を受信することは許容されない第２の時間期間、
前記ＵＥが通信を送信および受信することが許容される第３の時間期間、
前記ＵＥがセル探索を実行することが許容される第４の時間期間、
前記ＵＥのウェイク期間に対応する第５の時間期間、
前記ＵＥのスリープ期間に対応する第６の時間期間、
前記ＵＥの性能を改善することに関連するアクティビティに対応する第７の時間期間、または
それらの組合せのうちの少なくとも１つを示す、
請求項１に記載の方法。
【請求項１２】
前記ＵＥが半二重モードで通信するように構成された後、前記バッテリー回復時間期間が前記パターンを使用して構成される、請求項１に記載の方法。
【請求項１３】
前記電圧ドループがしきい値を満足するという決定に少なくとも部分的に基づいて、前記ＵＥが前記半二重モードで通信するように構成される、請求項１２に記載の方法。
【請求項１４】
ワイヤレス通信の方法であって、
ユーザ機器（ＵＥ）の少なくとも１つのバッテリーの特性を前記ＵＥによって識別することと、
前記特性、および１つまたは複数の通信のために前記ＵＥによって使用されるべき送信電力に少なくとも部分的に基づいて、前記ＵＥによって半二重モードまたは全二重モードを構成することと、
前記半二重モードまたは前記全二重モードを構成することに少なくとも部分的に基づいて、前記ＵＥによって前記半二重モードまたは前記全二重モードを使用して前記１つまたは複数の通信を送信することと
を備える方法。
【請求項１５】
前記送信電力がしきい値を満足するときに前記半二重モードが構成され、または前記送信電力が前記しきい値を満足しないときに前記全二重モードが構成される、請求項１４に記載の方法。
【請求項１６】
前記しきい値が、基地局によって前記ＵＥに示されるか、または前記少なくとも１つのバッテリーの前記特性に少なくとも部分的に基づいて前記ＵＥによって決定される、請求項１５に記載の方法。
【請求項１７】
前記少なくとも１つのバッテリーの前記特性が、
前記少なくとも１つのバッテリーのピーク電流、
前記少なくとも１つのバッテリーに関連する電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
請求項１４に記載の方法。
【請求項１８】
ワイヤレス通信のためのユーザ機器（ＵＥ）であって、
メモリと、
前記メモリに結合された１つまたは複数のプロセッサとを備え、前記メモリおよび前記１つまたは複数のプロセッサが、
パターンを識別し、ここにおいて、前記パターンが、前記ＵＥの少なくとも１つのバッテリーの電圧が電圧ドループから回復するバッテリー回復時間期間を識別する、
前記パターンに少なくとも部分的に基づいて前記バッテリー回復時間期間を構成し、
前記パターンに少なくとも部分的に基づいて基地局と通信するように構成される、
ユーザ機器。
【請求項１９】
前記パターンが、
異なるバッテリー回復時間期間を含む複数のパターンからの選択、
前記ＵＥによる要求、
前記基地局から前記ＵＥによって受信される表示、または
それらの組合せのうちの１つまたは複数に少なくとも部分的に基づいて識別される、
請求項１８に記載のＵＥ。
【請求項２０】
前記パターンが、
システム情報ブロック、
無線リソース制御シグナリングメッセージ、または
それらの組合せのうちの少なくとも１つの中で前記ＵＥに示される、
請求項１８に記載のＵＥ。
【請求項２１】
前記パターンが、１つまたは複数のパラメータに少なくとも部分的に基づいて識別され、ここにおいて、前記１つまたは複数のパラメータが、
前記ＵＥに関連する送信電力、
前記ＵＥの１つまたは複数の通信に関連するペイロードサイズ、
前記ＵＥの１つまたは複数の通信の送信の長さ、
前記ＵＥに関連する反復の回数、
前記少なくとも１つのバッテリーに関連する１つまたは複数の測定値に少なくとも部分的に基づいて決定される、前記少なくとも１つのバッテリーのバッテリーパラメータ、
前記ＵＥのモビリティ特性、
前記ＵＥの能力、
前記ＵＥのカテゴリー、
前記少なくとも１つのバッテリーのピーク電流、
前記少なくとも１つのバッテリーに関連する前記電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
請求項１８に記載のＵＥ。
【請求項２２】
前記１つまたは複数のパラメータが、電力ヘッドルーム報告または帯域内シグナリングに関連して前記基地局に報告される、請求項２１に記載のＵＥ。
【請求項２３】
前記パターンが、前記１つまたは複数のパラメータに少なくとも部分的に基づいて前記基地局によって前記ＵＥに示される、請求項２１に記載のＵＥ。
【請求項２４】
前記パターンが、
前記ＵＥが通信を受信することが許容されるが通信を送信することは許容されない第１の時間期間、
前記ＵＥが通信を送信することが許容されるが通信を受信することは許容されない第２の時間期間、
前記ＵＥが通信を送信および受信することが許容される第３の時間期間、
前記ＵＥがセル探索を実行することが許容される第４の時間期間、
前記ＵＥのウェイク期間に対応する第５の時間期間、
前記ＵＥのスリープ期間に対応する第６の時間期間、
前記ＵＥの性能を改善することに関連するアクティビティに対応する第７の時間期間、または
それらの組合せのうちの少なくとも１つを示す、
請求項１８に記載のＵＥ。
【請求項２５】
前記ＵＥが半二重モードで通信するように構成された後、前記バッテリー回復時間期間が前記パターンを使用して構成される、請求項１８に記載のＵＥ。
【請求項２６】
前記電圧ドループがしきい値を満足するという決定に少なくとも部分的に基づいて、前記ＵＥが前記半二重モードで通信するように構成される、請求項２５に記載のＵＥ。
【請求項２７】
ワイヤレス通信のためのユーザ機器（ＵＥ）であって、
メモリと、
前記メモリに結合された１つまたは複数のプロセッサとを備え、前記メモリおよび前記１つまたは複数のプロセッサが、
前記ＵＥの少なくとも１つのバッテリーの特性を識別し、
前記特性、および１つまたは複数の通信のために前記ＵＥによって使用されるべき送信電力に少なくとも部分的に基づいて、半二重モードまたは全二重モードを構成し、
前記半二重モードまたは前記全二重モードを構成することに少なくとも部分的に基づいて、前記半二重モードまたは前記全二重モードを使用して前記１つまたは複数の通信を送信するように構成される、
ユーザ機器。
【請求項２８】
前記送信電力がしきい値を満足するときに前記半二重モードが構成され、または前記送信電力が前記しきい値を満足しないときに前記全二重モードが構成される、請求項２７に記載のＵＥ。
【請求項２９】
前記しきい値が、基地局によって前記ＵＥに示されるか、または前記少なくとも１つのバッテリーの前記特性に少なくとも部分的に基づいて前記ＵＥによって決定される、請求項２８に記載のＵＥ。
【請求項３０】
前記少なくとも１つのバッテリーの前記特性が、
前記少なくとも１つのバッテリーのピーク電流、
前記少なくとも１つのバッテリーに関連する電圧ドループ、
前記少なくとも１つのバッテリーに関連する電圧降下、
前記少なくとも１つのバッテリーの残り容量、
前記ＵＥの中に含まれるバッテリーの個数、
前記少なくとも１つのバッテリーが非充電式バッテリーであるのかそれとも充電式バッテリーであるのか、
前記少なくとも１つのバッテリーの回復負荷に関するバッテリー回復特性、または
それらの組合せのうちの少なくとも１つを含む、
請求項２７に記載のＵＥ。
【発明の詳細な説明】
【技術分野】
【０００１】
[0001]本開示の態様は、一般に、ワイヤレス通信に関し、より詳細には、ユーザ機器に対するバッテリー回復時間期間を構成するための技法および装置に関する。
【背景技術】
【０００２】
[0002]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサル移動電気通信システム（ＵＭＴＳ）モバイル規格の拡張のセットである。
【０００３】
[0003]ワイヤレス通信ネットワークは、いくつかのユーザ機器（ＵＥ）のための通信をサポートできるいくつかの基地局（ＢＳ）を含んでよい。ＵＥは、ダウンリンクおよびアップリンクを介してＢＳと通信し得る。ダウンリンク（または、順方向リンク）はＢＳからＵＥへの通信リンクを指し、アップリンク（または、逆方向リンク）はＵＥからＢＳへの通信リンクを指す。本明細書でより詳細に説明するように、ＢＳは、ノードＢ、ｇＮＢ、アクセスポイント（ＡＰ）、ラジオヘッド、送信受信ポイント（ＴＲＰ）、５Ｇ  ＢＳ、５ＧノードＢなどと呼ばれることがある。
【０００４】
[0004]上記の多元接続技術は、異なるワイヤレス通信デバイスが都市、国家、地域、さらには地球規模で通信することを可能にする共通プロトコルを提供するために、様々な電気通信規格において採用されている。ニューラジオ（ＮＲ：New radio）と呼ばれることもある５Ｇは、第３世代パートナーシッププロジェクト（３ＧＰＰ）によって公表されたＬＴＥモバイル規格の拡張のセットである。５Ｇは、スペクトル効率を改善すること、コストを下げること、サービスを改善すること、新たなスペクトルを利用すること、ならびにダウンリンク（ＤＬ）上でサイクリックプレフィックス（ＣＰ）を伴うＯＦＤＭ（ＣＰ−ＯＦＤＭ）を使用して、アップリンク（ＵＬ）上でＣＰ−ＯＦＤＭおよび／またはＳＣ−ＦＤＭ（たとえば、離散フーリエ変換拡散ＯＤＦＭ（ＤＦＴ−ｓ−ＯＦＤＭ）とも呼ばれる）を使用して、またビームフォーミング、多入力多出力（ＭＩＭＯ）アンテナ技術、およびキャリアアグリゲーションをサポートして、他のオープン規格とよりよく統合することによって、モバイルブロードバンドインターネットアクセスをよりよくサポートするように設計されている。しかしながら、モバイルブロードバンドアクセスに対する需要が高まり続けるにつれて、ＬＴＥ技術および５Ｇ技術におけるさらなる改善に対する必要性が存在する。好ましくは、これらの改善は、これらの技術を採用する他の多元接続技術および電気通信規格に適用可能であるべきである。
【０００５】
[0005]ＮＢ−ＩｏＴ  ＵＥなどのＵＥは、バッテリーにかかる負荷がアクティブであるとき、ＵＥのバッテリーの中で電圧ドループを受けることがある。いくつかの態様では、バッテリーはボタン電池であってよく、ボタン電池は、非ボタン電池と比較してボタン電池を電圧ドループにより敏感にさせる特性を有することがある。たとえば、ボタン電池は、５０ミリアンペアのピーク電流などの、限定されたピーク電流能力しか有しないことがある。バッテリー負荷がアクティブであるとき（たとえば、ＵＥが通信を送信または受信しているとき）、バッテリーは、引かれる電流の量に比例する電圧降下を受けることがある。バッテリーにかかる負荷のアクティブ化に起因するこの初期電圧降下の後、バッテリーは、負荷がアクティブのままである間、電圧ドループを受けることがある。場合によっては、電圧ドループは、バッテリーの電圧を、バッテリー性能および／またはＵＥ性能がそれを越えると悪化することがある限界しきい値を下回らせることがある。
【発明の概要】
【０００６】
[0006]本明細書で説明するいくつかの態様は、ＵＥバッテリーの電圧ドループに関連する性能悪影響を低減する。たとえば、本明細書で説明する態様は、ＵＥのバッテリー電圧が限界しきい値を下回ることを防止し、および／またはバッテリー電圧が限界しきい値を下回る可能性を低減する、バッテリー回復時間期間を含むパターンを用いてＵＥを構成するために使用され得る。このようにして、ＵＥ性能が改善される、バッテリー性能が改善される、バッテリー寿命が延ばされるなどしてよい。
【０００７】
[0007]本開示の一態様では、方法、ＵＥ、装置、およびコンピュータプログラム製品が提供される。
【０００８】
[0008]いくつかの態様では、方法は、ＵＥの少なくとも１つのバッテリーの電圧が電圧ドループから回復するバッテリー回復時間期間を識別するパターンをＵＥによって識別することと、パターンに少なくとも部分的に基づいてＵＥによってバッテリー回復時間期間を構成することと、パターンに少なくとも部分的に基づいてＵＥによって基地局と通信することとを含んでよい。
【０００９】
[0009]いくつかの態様では、方法は、ＵＥの少なくとも１つのバッテリーの特性をＵＥによって識別することと、特性、および１つまたは複数の通信のためにＵＥによって使用されるべき送信電力に少なくとも部分的に基づいて、ＵＥによって半二重モードまたは全二重モードを構成することと、半二重モードまたは全二重モードを構成することに少なくとも部分的に基づいて、ＵＥによって半二重モードまたは全二重モードを使用して１つまたは複数の通信を送信することとを含んでよい。
【００１０】
[0010]いくつかの態様では、ＵＥは、メモリと、メモリに結合された少なくとも１つのプロセッサとを含んでよい。少なくとも１つのプロセッサは、ＵＥの少なくとも１つのバッテリーの電圧が電圧ドループから回復するバッテリー回復時間期間を識別するパターンを識別し、パターンに少なくとも部分的に基づいてバッテリー回復時間期間を構成し、パターンに少なくとも部分的に基づいて基地局と通信するように構成されてよい。
【００１１】
[0011]いくつかの態様では、ＵＥは、メモリと、メモリに結合された少なくとも１つのプロセッサとを含んでよい。少なくとも１つのプロセッサは、ＵＥの少なくとも１つのバッテリーの特性を識別し、特性、および１つまたは複数の通信のためにＵＥによって使用されるべき送信電力に少なくとも部分的に基づいて、半二重モードまたは全二重モードを構成し、半二重モードまたは全二重モードを構成することに少なくとも部分的に基づいて、半二重モードまたは全二重モードを使用して１つまたは複数の通信を送信するように構成されてよい。
【００１２】
[0012]いくつかの態様では、装置は、装置の少なくとも１つのバッテリーの電圧が電圧ドループから回復するバッテリー回復時間期間を識別するパターンを識別するための手段と、パターンに少なくとも部分的に基づいてバッテリー回復時間期間を構成するための手段と、パターンに少なくとも部分的に基づいて基地局と通信するための手段とを含んでよい。
【００１３】
[0013]いくつかの態様では、装置は、装置の少なくとも１つのバッテリーの特性を識別するための手段と、特性、および１つまたは複数の通信のために装置によって使用されるべき送信電力に少なくとも部分的に基づいて、半二重モードまたは全二重モードを構成するための手段と、半二重モードまたは全二重モードを構成することに少なくとも部分的に基づいて、半二重モードまたは全二重モードを使用して１つまたは複数の通信を送信するための手段とを含んでよい。
【００１４】
[0014]いくつかの態様では、コンピュータプログラム製品は、１つまたは複数の命令を記憶する非一時的コンピュータ可読媒体を含んでよい。１つまたは複数の命令は、１つまたは複数のプロセッサによって実行されたとき、１つまたは複数のプロセッサに、ＵＥの少なくとも１つのバッテリーの電圧が電圧ドループから回復するバッテリー回復時間期間を識別するパターンを識別させてよく、パターンに少なくとも部分的に基づいてバッテリー回復時間期間を構成させてよく、パターンに少なくとも部分的に基づいて基地局と通信させてよい。
【００１５】
[0015]いくつかの態様では、コンピュータプログラム製品は、１つまたは複数の命令を記憶する非一時的コンピュータ可読媒体を含んでよい。１つまたは複数の命令は、１つまたは複数のプロセッサによって実行されたとき、１つまたは複数のプロセッサに、ＵＥの少なくとも１つのバッテリーの特性を識別させてよく、特性、および１つまたは複数の通信のためにＵＥによって使用されるべき送信電力に少なくとも部分的に基づいて、半二重モードまたは全二重モードを構成させてよく、半二重モードまたは全二重モードを構成することに少なくとも部分的に基づいて、半二重モードまたは全二重モードを使用して１つまたは複数の通信を送信させてよい。
【００１６】
[0016]態様は、概して、添付の図面および明細書に関して本明細書で実質的に説明され、添付の図面および明細書によって示されるように、方法と、装置と、システムと、コンピュータプログラム製品と、非一時的コンピュータ可読媒体と、ユーザ機器と、ワイヤレス通信デバイスと、処理システムとを含む。
【００１７】
[0017]上記は、以下の発明を実施するための形態がよりよく理解され得るように、本開示による例の特徴および技術的利点をかなり広く概説している。追加の特徴および利点が以下で説明される。開示される概念および具体例は、本開示の同じ目的を実行するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付図に関して検討すると以下の説明からよりよく理解されよう。図の各々は、例示および説明のために提供され、特許請求の範囲の限定の定義として提供されるものではない。
【図面の簡単な説明】
【００１８】
【図１】[0018]ワイヤレス通信ネットワークの一例を示す図。
【図２】[0019]ワイヤレス通信ネットワークにおいて基地局がユーザ機器（ＵＥ）と通信している一例を示す図。
【図３】[0020]ＵＥに対するバッテリー回復時間期間を構成する例を示す図。
【図４】ＵＥに対するバッテリー回復時間期間を構成する例を示す図。
【図５】ＵＥに対するバッテリー回復時間期間を構成する例を示す図。
【図６】ＵＥに対するバッテリー回復時間期間を構成する例を示す図。
【図７】ＵＥに対するバッテリー回復時間期間を構成する例を示す図。
【図８】[0021]ワイヤレス通信の方法のフローチャート。
【図９】ワイヤレス通信の方法のフローチャート。
【図１０】[0022]例示的な装置における異なるモジュール／手段／構成要素の間のデータフローを示す概念データフロー図。
【図１１】[0023]処理システムを採用する装置のためのハードウェア実装形態の一例を示す図。
【発明を実施するための形態】
【００１９】
[0024]添付の図面に関して以下に記載する詳細な説明は、様々な構成の説明として意図されており、本明細書で説明する概念が実践され得る構成を表すことを意図しない。詳細な説明は、様々な概念の完全な理解を与える目的で具体的な詳細を含む。しかしながら、これらの概念がこれらの具体的な詳細なしに実践され得ることが当業者には明らかであろう。いくつかの事例では、そのような概念を不明瞭にすることを回避するために、よく知られている構造および構成要素がブロック図の形態で示される。
【００２０】
[0025]ここで、様々な装置および方法を参照しながら、電気通信システムのいくつかの態様が提示される。これらの装置および方法は、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるのかそれともソフトウェアとして実装されるのかは、特定の適用例および全体的なシステムに課される設計制約に依存する。
【００２１】
[0026]例として、要素、または要素の任意の部分、または要素の任意の組合せは、１つまたは複数のプロセッサを含む「処理システム」を用いて実装され得る。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実行するように構成された他の好適なハードウェアを含む。処理システムの中の１つまたは複数のプロセッサはソフトウェアを実行し得る。ソフトウェアは、ソフトウェア、ファームウェア、ミドルウェア、マイクロコード、ハードウェア記述言語、またはその他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するものと広く解釈されるものとする。
【００２２】
[0027]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されてよく、またはコンピュータ可読媒体上の１つまたは複数の命令またはコードとして符号化されてもよい。コンピュータ可読媒体はコンピュータ記憶媒体を含む。記憶媒体は、コンピュータによってアクセスされ得る任意の利用可能な媒体であってよい。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）もしくは他の光ディスクストレージ、磁気ディスクストレージもしくは他の磁気記憶デバイス、上述のタイプのコンピュータ可読媒体の組合せ、またはコンピュータによってアクセスされ得る命令もしくはデータ構造の形態のコンピュータ実行可能コードを記憶するために使用され得る任意の他の媒体を備えることができる。
【００２３】
[0028]アクセスポイント（「ＡＰ」）は、ノードＢ、無線ネットワークコントローラ（「ＲＮＣ」）、ｅノードＢ（ｅＮＢ）、基地局コントローラ（「ＢＳＣ」）、トランシーバ基地局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、ノードＢ（ＮＢ）、ｇＮＢ、５Ｇ  ＮＢ、５Ｇ  ＢＳ、送信受信ポイント（ＴＲＰ）、または他の用語を備えてよく、それらとして実装されてよく、またはそのように呼ばれることがある。
【００２４】
[0029]アクセス端末（「ＡＴ」）は、アクセス端末、加入者局、加入者ユニット、移動局、リモート局、リモート端末、ユーザ端末、ユーザエージェント、ユーザデバイス、ユーザ機器（ＵＥ）、ユーザ局、ワイヤレスノード、または他の用語を備えてよく、それらとして実装されてよく、またはそのように呼ばれることがある。いくつかの態様では、アクセス端末は、セルラー電話、スマートフォン、コードレス電話、セッション開始プロトコル（「ＳＩＰ」）フォン、ワイヤレスローカルループ（「ＷＬＬ」）局、携帯情報端末（「ＰＤＡ」）、タブレット、ネットブック、スマートブック、ウルトラブック、ワイヤレス接続能力を有するハンドヘルドデバイス、局（「ＳＴＡ」）、またはワイヤレスモデムに接続されたいくつかの他の好適な処理デバイスを備えてよい。したがって、本明細書で教示する１つまたは複数の態様は、電話（たとえば、セルラーフォン、スマートフォン）、コンピュータ（たとえば、デスクトップ）、ポータブル通信デバイス、ポータブルコンピューティングデバイス（たとえば、ラップトップ、携帯情報端末、タブレット、ネットブック、スマートブック、ウルトラブック）、ウェアラブルデバイス（たとえば、スマートウォッチ、スマートグラス、スマートブレスレット、スマートリストバンド、スマートリング、スマート衣類など）、医療デバイスもしくは医療機器、生体センサー／生体デバイス、エンターテインメントデバイス（たとえば、音楽デバイス、ビデオデバイス、衛星ラジオ、ゲームデバイスなど）、車両構成要素もしくは車両センサー、スマートメーター／スマートセンサー、工業用製造機器、全地球測位システムデバイス、またはワイヤレス媒体もしくは有線媒体を介して通信するように構成されている任意の他の好適なデバイスの中に組み込まれてよい。いくつかの態様では、ノードはワイヤレスノードである。ワイヤレスノードは、たとえば、有線通信リンクまたはワイヤレス通信リンクを介した、ネットワーク（たとえば、インターネットまたはセルラーネットワークなどのワイドエリアネットワーク）のための、またはネットワークへの接続性を提供し得る。
【００２５】
[0030]いくつかのＵＥは、マシンタイプ通信（ＭＴＣ：machine-type communication）ＵＥと見なされてよく、マシンタイプ通信ＵＥは、基地局、別のリモートデバイス、または他のエンティティと通信し得るリモートデバイスを含んでよい。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含んでよい。ＭＴＣ  ＵＥは、たとえば、パブリックランドモバイルネットワーク（ＰＬＭＮ）を通じたＭＴＣサーバおよび／または他のＭＴＣデバイスとのＭＴＣ通信が可能であるＵＥを含んでよい。ＭＴＣデバイスの例は、センサー、メーター、ロケーションタグ、モニタ、ドローン、ロボット／ロボティックデバイスなどを含む。いくつかの態様では、ＭＴＣデバイスは、拡張ＭＴＣ（ｅＭＴＣ）デバイス、ＬＴＥカテゴリーＭ１（ＬＴＥ−Ｍ）デバイス、マシンツーマシン（Ｍ２Ｍ：machine to machine）デバイスなどと呼ばれることがある。追加または代替として、いくつかのＵＥは、狭帯域モノのインターネット（ＮＢ−ＩｏＴ）デバイスであってよい。
【００２６】
[0031]３Ｇおよび／または４Ｇのワイヤレス技術に共通に関連する用語を使用して本明細書で諸態様が説明されることがあるが、本開示の態様が、５Ｇ技術を含む、５Ｇ以降などの他世代ベースの通信システムにおいて適用され得ることに留意されたい。
【００２７】
[0032]図１は、本開示の態様が実践され得るネットワーク１００を示す図である。ネットワーク１００は、ＬＴＥネットワーク、または５Ｇネットワークなどのいくつかの他のワイヤレスネットワークであってよい。ワイヤレスネットワーク１００は、いくつかのＢＳ１１０（ＢＳ１１０ａ、ＢＳ１１０ｂ、ＢＳ１１０ｃ、およびＢＳ１１０ｄとして示す）と他のネットワークエンティティとを含んでよい。ＢＳは、ユーザ機器（ＵＥ）と通信するエンティティであり、基地局、５Ｇ  ＢＳ、ノードＢ、ｇＮＢ、５Ｇ  ＮＢ、アクセスポイント、ＴＲＰなどと呼ばれることもある。各ＢＳは、特定の地理的エリアに通信カバレージを提供し得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００２８】
[0033]ＢＳは、マクロセル、ピコセル、フェムトセル、および／または別のタイプのセルのための通信カバレージを提供し得る。マクロセルは、比較的大きい地理的エリア（たとえば、半径数キロメートル）をカバーしてよく、サービスに加入しているＵＥによる無制限アクセスを可能にし得る。ピコセルは、比較的小さい地理的エリアをカバーしてよく、サービスに加入しているＵＥによる無制限アクセスを可能にし得る。フェムトセルは、比較的小さい地理的エリア（たとえば、自宅）をカバーしてよく、フェムトセルとの関連付けを有するＵＥ（たとえば、限定加入者グループ（ＣＳＧ：Closed Subscriber Group）の中のＵＥ）による制限付きアクセスを可能にし得る。マクロセル用のＢＳはマクロＢＳと呼ばれることがある。ピコセル用のＢＳはピコＢＳと呼ばれることがある。フェムトセル用のＢＳは、フェムトＢＳまたはホームＢＳと呼ばれることがある。図１に示す例では、ＢＳ１１０ａはマクロセル１０２ａ用のマクロＢＳであってよく、ＢＳ１１０ｂはピコセル１０２ｂ用のピコＢＳであってよく、ＢＳ１１０ｃはフェムトセル１０２ｃ用のフェムトＢＳであってよい。ＢＳは、１つまたは複数の（たとえば、３つの）セルをサポートし得る。「ｅＮＢ」、「基地局」、「５Ｇ  ＢＳ」、「ｇＮＢ」、「ＴＲＰ」、「ＡＰ」、「ノードＢ」、「５Ｇ  ＮＢ」、および「セル」という用語は、本明細書で互換的に使用され得る。
【００２９】
[0034]いくつかの例では、セルは必ずしも固定であるとは限らない場合があり、セルの地理的エリアはモバイルＢＳのロケーションに従って移動することがある。いくつかの例では、ＢＳは、任意の好適なトランスポートネットワークを使用して、直接物理接続、仮想ネットワークなどの様々なタイプのバックホールインターフェースを通じて、互いに、および／またはアクセスネットワーク１００の中の１つもしくは複数の他のＢＳもしくはネットワークノード（図示せず）に相互接続され得る。
【００３０】
[0035]ワイヤレスネットワーク１００はまた、中継局を含んでよい。中継局とは、上流局（たとえば、ＢＳまたはＵＥ）からのデータの送信を受信でき、そのデータの送信を下流局（たとえば、ＵＥまたはＢＳ）へ送ることができるエンティティである。中継局はまた、他のＵＥのための送信を中継できるＵＥであってよい。図１に示す例では、中継局１１０ｄは、ＢＳ１１０ａとＵＥ１２０ｄとの間の通信を容易にするためにマクロＢＳ１１０ａおよびＵＥ１２０ｄと通信し得る。中継局は、中継ＢＳ、中継基地局、リレーなどと呼ばれることもある。
【００３１】
[0036]ワイヤレスネットワーク１００は、異なるタイプのＢＳ、たとえば、マクロＢＳ、ピコＢＳ、フェムトＢＳ、中継ＢＳなどを含む異種ネットワークであってよい。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、５〜４０ワット）を有してよく、ピコＢＳ、フェムトＢＳ、および中継ＢＳは、もっと低い送信電力レベル（たとえば、０．１〜２ワット）を有してよい。
【００３２】
[0037]ネットワークコントローラ１３０は、１組のＢＳに結合してよく、これらのＢＳのための協調と制御とを提供し得る。ネットワークコントローラ１３０は、バックホールを経由してＢＳと通信し得る。ＢＳはまた、たとえば、ワイヤレスまたはワイヤラインのバックホールを経由して互いに直接または間接的に通信し得る。
【００３３】
[0038]ＵＥ１２０（たとえば、１２０ａ、１２０ｂ、１２０ｃ）はワイヤレスネットワーク１００全体にわたって分散されてよく、各ＵＥは固定またはモバイルであってよい。ＵＥは、アクセス端末、端末、移動局、加入者ユニット、局などと呼ばれることもある。ＵＥは、セルラーフォン（たとえば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは医療機器、生体センサー／生体デバイス、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスもしくはビデオデバイス、または衛星ラジオ）、車両構成要素もしくは車両センサー、スマートメーター／スマートセンサー、工業用製造機器、全地球測位システムデバイス、またはワイヤレス媒体もしくは有線媒体を介して通信するように構成されている任意の他の好適なデバイスであってよい。いくつかのＵＥは、発展型または拡張マシンタイプ通信（ｅＭＴＣ）ＵＥと見なされてよい。ＭＴＣ  ＵＥおよびｅＭＴＣ  ＵＥは、たとえば、基地局、別のデバイス（たとえば、リモートデバイス）、または他のエンティティと通信し得る、センサー、メーター、モニタ、ロケーションタグなどの、ロボット、ドローン、リモートデバイスを含む。ワイヤレスノードは、たとえば、有線通信リンクまたはワイヤレス通信リンクを介した、ネットワーク（たとえば、インターネットまたはセルラーネットワークなどのワイドエリアネットワーク）のための、またはネットワークへの接続性を提供し得る。いくつかのＵＥは、モノのインターネット（ＩｏＴ）デバイスと見なされてよい。いくつかのＵＥは、顧客構内機器（ＣＰＥ：Customer Premises Equipment）と見なされてよい。いくつかの態様では、ＵＥ１２０は、狭帯域モノのインターネット（ＮＢ−ＩｏＴ）デバイスであってよく、および／またはボタン電池などのバッテリーを含んでよい。ＵＥ１２０は、パターンを識別することであって、パターンが、バッテリーの電圧が電圧ドループから回復するバッテリー回復時間期間を識別することと、パターンに少なくとも部分的に基づいてバッテリー回復時間期間を構成することとを行うように構成され得る。追加または代替として、使用１２０は、バッテリーの特性を識別し、特性、および１つまたは複数の通信のためにＵＥによって使用されるべき送信電力に少なくとも部分的に基づいて、半二重モードまたは全二重モードを構成するように構成され得る。
【００３４】
[0039]図１において、両矢印付きの実線は、ＵＥと、ダウンリンクおよび／またはアップリンク上でそのＵＥをサービスするように指定されたＢＳであるサービングＢＳとの間の所望の送信を示す。両矢印付きの破線は、ＵＥとＢＳとの間の潜在的に干渉する送信を示す。
【００３５】
[0040]概して、任意の数のワイヤレスネットワークが所与の地理的エリアの中に展開され得る。各ワイヤレスネットワークは、特定のＲＡＴをサポートしてよく、１つまたは複数の周波数上で動作してよい。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間の干渉を回避するために、所与の地理的エリアの中で単一のＲＡＴをサポートし得る。場合によっては、５Ｇ  ＲＡＴネットワークが展開され得る。
【００３６】
[0041]いくつかの例では、エアインターフェースへのアクセスがスケジュールされてよく、スケジューリングエンティティ（たとえば、基地局）が、スケジューリングエンティティのサービスエリアすなわちセル内の一部または全部のデバイスおよび機器の間での通信のためのリソースを割り振る。本開示内では、以下でさらに説明するように、スケジューリングエンティティは、１つまたは複数の従属エンティティのためのリソースをスケジュールすること、割り当てること、再構成すること、および解放することを担当し得る。すなわち、スケジュールされた通信のために、従属エンティティは、スケジューリングエンティティによって割り振られたリソースを利用する。
【００３７】
[0042]基地局は、スケジューリングエンティティとして機能し得る唯一のエンティティではない。すなわち、いくつかの例では、ＵＥが、１つまたは複数の従属エンティティ（たとえば、１つまたは複数の他のＵＥ）のためのリソースをスケジュールする、スケジューリングエンティティとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークの中で、および／またはメッシュネットワークの中で、スケジューリングエンティティとして機能し得る。メッシュネットワーク例では、ＵＥは、スケジューリングエンティティと通信することに加えて、随意に互いに直接通信し得る。
【００３８】
[0043]したがって、時間周波数リソースへのスケジュール型アクセスを伴い、セルラー構成と、Ｐ２Ｐ構成と、メッシュ構成とを有するワイヤレス通信ネットワークでは、スケジューリングエンティティおよび１つまたは複数の従属エンティティは、スケジュールされたリソースを利用して通信し得る。
【００３９】
[0044]上記のように、図１は一例として提供されるにすぎない。他の例が可能であり、図１に関して説明されたものと異なってよい。
【００４０】
[0045]図２は、図１における基地局のうちの１つおよびＵＥのうちの１つであってよい基地局１１０およびＵＥ１２０の設計のブロック図２００を示す。基地局１１０は、Ｔ個のアンテナ２３４ａ〜２３４ｔを装備してよく、ＵＥ１２０はＲ個のアンテナ２５２ａ〜２５２ｒを装備してよく、ただし、一般にＴ≧１およびＲ≧１である。
【００４１】
[0046]基地局１１０において、送信プロセッサ２２０は、１つまたは複数のＵＥのためにデータソース２１２からデータを受け取ってよく、ＵＥから受信されたチャネル品質インジケータ（ＣＱＩ：channel quality indicator）に少なくとも部分的に基づいてＵＥごとに１つまたは複数の変調およびコーディング方式（ＭＣＳ：modulation and coding scheme）を選択してよく、そのＵＥのために選択されたＭＣＳに少なくとも部分的に基づいてＵＥごとにデータを処理（たとえば、符号化および変調）してよく、すべてのＵＥのためのデータシンボルを提供してよい。送信プロセッサ２２０はまた、（たとえば、準静的リソース区分情報（ＳＲＰＩ：semi-static resource partitioning information）などのための）システム情報と、制御情報（たとえば、ＣＱＩ要求、許可、上位レイヤシグナリングなど）とを処理してよく、オーバーヘッドシンボルと制御シンボルとを提供してよい。送信プロセッサ２２０はまた、基準信号（たとえば、ＣＲＳ）および同期信号（たとえば、１次同期信号（ＰＳＳ：primary synchronization signal）および２次同期信号（ＳＳＳ：secondary synchronization signal））のための基準シンボルを生成してよい。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行してよく、Ｔ個の出力シンボルストリームをＴ個の変調器（ＭＯＤ）２３２ａ〜２３２ｔに提供してよい。各変調器２３２は、出力サンプルストリームを取得するためにそれぞれの出力シンボルストリームを（たとえば、ＯＦＤＭなどのために）処理してよい。各変調器２３２は、ダウンリンク信号を取得するために出力サンプルストリームをさらに処理（たとえば、アナログに変換、増幅、フィルタ処理、およびアップコンバート）してよい。変調器２３２ａ〜２３２ｔからのＴ個のダウンリンク信号は、それぞれ、Ｔ個のアンテナ２３４ａ〜２３４ｔを介して送信されてよい。以下でより詳細に説明するいくつかの態様によれば、同期信号は、追加情報を伝達するためにロケーション符号化を用いて生成され得る。
【００４２】
[0047]ＵＥ１２０において、アンテナ２５２ａ〜２５２ｒは、基地局１１０および／または他の基地局からダウンリンク信号を受信してよく、それぞれ、受信信号を復調器（ＤＥＭＯＤ）２５４ａ〜２５４ｒに提供してよい。各復調器２５４は、入力サンプルを取得するために受信信号を調整（たとえば、フィルタ処理、増幅、ダウンコンバート、およびデジタル化）してよい。各復調器２５４は、受信シンボルを取得するために入力サンプルを（たとえば、ＯＦＤＭなどのために）さらに処理してよい。ＭＩＭＯ検出器２５６は、すべてのＲ個の復調器２５４ａ〜２５４ｒから受信シンボルを取得してよく、適用可能な場合、受信シンボルに対してＭＩＭＯ検出を実行してよく、検出されたシンボルを提供してよい。受信プロセッサ（ＲＸ）２５８は、検出されたシンボルを処理（たとえば、復調および復号）してよく、ＵＥ１２０のための復号データをデータシンク２６０に提供してよく、復号された制御信号とシステム情報とをコントローラ／プロセッサ２８０に提供してよい。チャネルプロセッサは、ＲＳＲＰ、ＲＳＳＩ、ＲＳＲＱ、ＣＱＩなどを決定してよい。
【００４３】
[0048]アップリンク上では、ＵＥ１２０において、送信プロセッサ２６４は、データソース２６２からデータを、またコントローラ／プロセッサ２８０から（たとえば、ＲＳＲＰ、ＲＳＳＩ、ＲＳＲＱ、ＣＱＩなどを備える報告のための）制御情報を、受け取ってよく処理してよい。送信プロセッサ２６４はまた、１つまたは複数の基準信号のための基準シンボルを生成してよい。送信プロセッサ２６４からのシンボルは、適用可能な場合、ＴＸ  ＭＩＭＯプロセッサ２６６によってプリコーディングされてよく、変調器２５４ａ〜２５４ｒによって（たとえば、ＤＦＴ−ｓ−ＯＦＤＭ、ＣＰ−ＯＦＤＭなどのために）さらに処理されてよく、基地局１１０へ送信されてよい。基地局１１０において、ＵＥ１２０および他のＵＥからのアップリンク信号は、アンテナ２３４によって受信されてよく、復調器２３２によって処理されてよく、適用可能な場合、ＭＩＭＯ検出器２３６によって検出されてよく、ＵＥ１２０によって送られた復号データと制御情報とを取得するために、受信プロセッサ２３８によってさらに処理されてよい。受信プロセッサ２３８は、復号データをデータシンク２３９に、また復号された制御情報をコントローラ／プロセッサ２４０に提供してよい。基地局１１０は、通信ユニット２４４を含んでよく、通信ユニット２４４を介してネットワークコントローラ１３０に通信し得る。ネットワークコントローラ１３０は、通信ユニット２９４と、コントローラ／プロセッサ２９０と、メモリ２９２とを含んでよい。
【００４４】
[0049]コントローラ／プロセッサ２４０および２８０、ならびに／または図２における任意の他の構成要素は、ＵＥ１２０に対するバッテリー回復時間期間を構成するために、それぞれ、基地局１１０およびＵＥ１２０における動作を指示してよい。たとえば、コントローラ／プロセッサ２８０、ならびに／またはＵＥ１２０における他のプロセッサおよびモジュールは、バッテリー回復時間期間の構成を実行するためにＵＥ１２０の動作を実行または指示し得る。たとえば、コントローラ／プロセッサ２８０、ならびに／またはＵＥ１２０における他のコントローラ／プロセッサおよびモジュールは、たとえば、図８の方法８００、図９の方法９００、および／または本明細書で説明するような他のプロセスの動作を実行または指示し得る。いくつかの態様では、図８の例示的な方法８００、図９の方法９００、および／または本明細書で説明する技法のための他のプロセスを実行するために、図２に示す構成要素のうちの１つまたは複数が採用され得る。メモリ２４２および２８２は、それぞれ、ＢＳ１１０およびＵＥ１２０のためのデータとプログラムコードとを記憶し得る。スケジューラ２４６は、ダウンリンク上および／またはアップリンク上でのデータ送信のためにＵＥをスケジュールし得る。
【００４５】
[0050]上記のように、図２は一例として提供されるにすぎない。他の例が可能であり、図２に関して説明されたものと異なってよい。
【００４６】
[0051]図３は、ユーザ機器に対するバッテリー回復時間期間を構成する例３００を示す図である。図３に示すように、ＮＢ−ＩｏＴ  ＵＥなどのＵＥは、バッテリーにかかる負荷がアクティブであるとき、ＵＥのバッテリーの中の電圧ドループ３１０を受けることがある。いくつかの態様では、バッテリーはボタン電池であってよく、ボタン電池は、非ボタン電池と比較してボタン電池を電圧ドループ３１０により敏感にさせる特性を有することがある。たとえば、ボタン電池は、５０ミリアンペアのピーク電流などの、限定されたピーク電流能力しか有しないことがある。バッテリー負荷がアクティブであるとき（たとえば、ＵＥが通信を送信または受信しているとき）、バッテリーは、引かれる電流の量に比例する電圧降下３２０を受けることがある。バッテリーにかかる負荷のアクティブ化に起因するこの初期電圧降下３２０の後、バッテリーは、負荷がアクティブのままである間、電圧ドループ３１０を受けることがある。電圧ドループ３１０は、電圧降下３２０と比較して相対的に小さい電圧低減であってよく、電圧ドループ３１０は、電圧降下３２０と比較して相対的に長い時間期間にわたって発生することがある。追加または代替として、電圧ドループ３１０は、電圧降下３２０の後に（たとえば、負荷が最初にアクティブ化された後に）発生することがある。
【００４７】
[0052]場合によっては、電圧ドループ３１０は、バッテリーの電圧を、バッテリー性能および／またはＵＥ性能がそれを越えると悪化することがある限界しきい値を下回らせることがある。たとえば、３ボルトのボタン電池は、限界しきい値が２．５ボルト、２ボルト、１．５ボルトなどであってよい。本明細書で説明するいくつかの態様は、電圧ドループ３１０に関連する性能悪影響を低減する。たとえば、本明細書で説明する態様は、ＵＥのバッテリー電圧が限界しきい値を下回ることを防止し、および／またはバッテリー電圧が限界しきい値を下回る可能性を低減する、バッテリー回復時間期間を含むパターンを用いてＵＥを構成するために使用され得る。このようにして、ＵＥ性能が改善される、バッテリー性能が改善される、バッテリー寿命が延ばされるなどしてよい。
【００４８】
[0053]例３００は、バッテリーにかかる負荷がアクティブでないバッテリー回復時間期間とともに点在された、ＵＥのバッテリーにかかる負荷がアクティブであるアクティブ負荷時間期間のパターン３３０を示す。参照番号３４０によって示されるように、バッテリー負荷が継続的にアクティブでないので、そのようなパターンはバッテリーの電圧ドループを低減し得る。このようにして、ＵＥは、バッテリー電圧が限界しきい値を下回る可能性を防止または低減し得、それによって、性能を改善するとともにバッテリー寿命を延ばす。
【００４９】
[0054]上記のように、図３は一例として提供されるにすぎない。他の例が可能であり、図３に関して説明されたものと異なってよい。
【００５０】
[0055]図４は、ユーザ機器に対するバッテリー回復時間期間を構成する例４００を示す図である。図４に示すように、ＵＥ４１０は基地局４２０と通信し得る。いくつかの態様では、ＵＥ４１０は、ＵＥ１２０などの、本明細書における他の場所で説明される１つまたは複数のＵＥに相当し得る。いくつかの態様では、基地局４２０は、基地局１１０などの、本明細書における他の場所で説明される１つまたは複数の基地局に相当し得る。
【００５１】
[0056]参照番号４３０によって示されるように、ＵＥ４１０は、ＵＥ４１０に対するバッテリー回復時間期間を識別するパターンを識別し得る。いくつかの態様では、ＵＥ４１０のバッテリーの電圧は、バッテリー回復時間期間中に電圧ドループおよび／または電圧降下から回復する。たとえば、ＵＥ４１０は、（たとえば、１つまたは複数のＵＥ構成要素および／またはＵＥプロセスを非アクティブ化することによって）バッテリー回復時間期間中にバッテリーにかかるアクティブな負荷を低減するように構成され得る。
【００５２】
[0057]いくつかの態様では、ＵＥ４１０は、バッテリー回復時間期間中、スリープモード４４０にあってよい。スリープモードは、より多数のＵＥ構成要素が非アクティブ化されているディープスリープモード（deep sleep mode）であってよく、またはより少数のＵＥ構成要素が非アクティブ化されているライトスリープモード（light sleep mode）であってもよい。いくつかの態様では、ＵＥ４１０は、ＵＥ４１０が再送信許可を待っているときにＵＥ４１０がスリープモード４４０にないように構成され得る。たとえば、再送信は、ＵＥバッテリーのバッテリー電圧が限界しきい値を上回る（および、たとえば、ＵＥ４１０がスリープモード４４０にない）時間中に行われるように構成されてよい。追加または代替として、ＵＥ４１０は、異なるセル間での移動を処理するために、接続モード間欠受信（Ｃ−ＤＲＸ）サイクルにあるように構成され得る。
【００５３】
[0058]追加または代替として、バッテリー回復時間期間中、ＵＥ４１０は、ＵＥ４１０が通信を受信することが許容されるが通信を送信することは許容されない受信専用時間期間４５０を用いて構成され得る。いくつかの態様では、ＵＥ４１０が通信を送信することが許容される送信時間期間４６０よりもバッテリーにかかるアクティブな負荷（および、ピーク電流）が小さいので、受信専用時間期間４５０はバッテリー回復時間期間と見なされてよい。
【００５４】
[0059]図示のように、パターンは、長さがｔ２のスリープモード４４０と、それに後続する長さがｔ３の受信専用時間期間４５０と、それに後続する長さがｔ１の送信時間期間４６０などの、対応する時間期間を有するＵＥモードのシーケンスを含んでよい。図示のように、このパターンは、次いで、パターンの構成に従って反復され得る。
【００５５】
[0060]いくつかの態様では、パターンは、異なるバッテリー回復時間期間（たとえば、バッテリー回復時間期間に対する異なるＵＥモード、異なる長さのバッテリー回復時間期間など）、異なる数のＵＥモード、異なるシーケンスのＵＥモード、ＵＥモードに対する異なる時間期間などを含む、複数のパターンから選択される。たとえば、パターンは、ＵＥ４１０が通信を受信することが許容されるが通信を送信することは許容されない第１の時間期間（たとえば、受信専用半二重モード）、ＵＥ４１０が通信を送信することが許容されるが通信を受信することは許容されない第２の時間期間（たとえば、送信専用半二重モード）、ＵＥ４１０が通信を送信および受信することが許容される第３の時間期間（たとえば、全二重モード）、ＵＥ４１０がセル探索を実行することが許容される第４の時間期間、ＵＥ４１０のウェイク期間に対応する第５の時間期間、ＵＥ４１０のスリープ期間に対応する第６の時間期間など（たとえば、ＵＥ４１０の性能を改善することに関するアクティビティに対応する時間期間）を含んでよい。
【００５６】
[0061]いくつかの態様では、ＵＥ４１０は、（たとえば、以下でより詳細に説明するように、ＵＥ４１０に関連する１つまたは複数のパラメータに少なくとも部分的に基づいて）複数のパターンからパターンを選択する。いくつかの態様では、基地局４２０は、（たとえば、１つまたは複数のパラメータに少なくとも部分的に基づいて）複数のパターンからパターンを選択する。たとえば、ＵＥ４１０は、（たとえば、バッテリー電圧がしきい値を下回ること、電圧降下および／または電圧ドループが条件を満足すること、送信が条件を満足すること、ＵＥ４１０に関連する１つまたは複数のパラメータが条件を満足することなどの、要求を求めるトリガを検出することに少なくとも部分的に基づいて）パターンを要求してよい。追加または代替として、基地局４２０は、ＵＥ４１０にパターンを示してよい。たとえば、基地局４２０は、システム情報ブロック（ＳＩＢ）、無線リソース制御（ＲＲＣ）シグナリングメッセージ、帯域内シグナリング、媒体アクセス制御（ＭＡＣ）制御要素、パケットデータコンバージェンスプロトコル（ＰＤＣＰ）制御プロトコルデータユニット（ＰＤＵ）、ダウンリンク制御情報（ＤＣＩ）などの中でパターンを示してよい。このようにして、１つまたは複数のパターンが、（たとえば、ＳＩＢを使用して）ＵＥ４１０のグループに、または（たとえば、ＲＲＣシグナリングを使用して）単一のＵＥ４１０に示されてよい。いくつかの態様では、パターンは、インデックス値を使用して示されてよい。いくつかの態様では、複数のパターンが、第１の通信（たとえば、ＳＩＢ）の中で、対応するインデックスを用いて示されてよく、特定のパターンが、第２の通信（たとえば、ＲＲＣシグナリングメッセージ、制御メッセージ、ＤＣＩなど）の中で通信されるインデックスを使用して示されてよい。
【００５７】
[0062]いくつかの態様では、ＵＥ４１０および／または基地局４２０は、ＵＥ４１０に関連する１つまたは複数のパラメータに少なくとも部分的に基づいてパターンを識別および／または選択し得る。１つまたは複数のパラメータは、たとえば、ＵＥ４１０に関連する送信電力（たとえば、１つまたは複数の通信が送信されるべき送信電力）、ＵＥ４１０によって送信されるべき１つまたは複数の通信に関連するペイロードサイズ、１つまたは複数の通信の送信の長さ、ＵＥ４１０に関連する反復の回数（たとえば、ＵＥ４１０が送信を反復する反復レベル）、ＵＥ４１０のバッテリーの特性、１つまたは複数の測定値に少なくとも部分的に基づいて決定される、バッテリーのパラメータ、ＵＥのモビリティ特性、ＵＥの能力、ＵＥのカテゴリーなどを含んでよい。
【００５８】
[0063]ＵＥ４１０および／または基地局４２０がＵＥ４１０のバッテリーの特性に少なくとも部分的に基づいてパターンを識別および／または選択するとき、特性は、バッテリーのピーク電流、バッテリーに関連する電圧ドループ、バッテリーに関連する電圧降下、バッテリーの残り容量、ＵＥ４１０の中に含まれるバッテリーの個数、バッテリーが非充電式バッテリー（たとえば、１次バッテリー）であるのかそれとも充電式バッテリー（たとえば、２次バッテリー）であるのか、バッテリーの回復負荷に関するバッテリー回復特性（たとえば、バッテリー回復時間期間中のアクティブな負荷）などを含んでよい。いくつかの態様では、ＵＥ４１０は、残り容量（たとえば、パーセンテージとして、電圧としてなど）を基地局４２０に示してよく、この値はパターンを識別するために使用され得る。追加または代替として、ＵＥ４１０は、残り容量を１つまたは複数のしきい値と比較することによるバッテリー容量インジケータ（たとえば、高、中、低など）を使用してよく、バッテリー容量インジケータを基地局４２０に報告してよい。いくつかの態様では、ＵＥ４１０および／または基地局４２０は、パターンを識別するためにバッテリー容量インジケータを使用し得る。
【００５９】
[0064]いくつかの態様では、ＵＥ４１０は、１つまたは複数のパラメータを基地局４２０に報告してよい。追加または代替として、基地局４２０は、（たとえば、報告の中で受信される）１つまたは複数のパラメータに少なくとも部分的に基づいて、パターンをＵＥ４１０に示してよい。たとえば、ＵＥ４１０は、電力ヘッドルーム報告の中で１つまたは複数のパラメータを基地局４２０に報告してよい。いくつかの態様では、ＵＥ４１０は、すべての電力ヘッドルーム報告の中で１つまたは複数のパラメータを報告してよく、そのことは、より信頼できるパターンの選択をもたらし得る。いくつかの態様では、ＵＥ４１０は、電力ヘッドルーム報告のサブセットの中で１つまたは複数のパラメータを報告する、異なる電力ヘッドルーム報告の中で１つまたは複数のパラメータの異なるサブセットおよび／または異なる組合せを報告するなどしてよく、そのことは、すべての電力ヘッドルーム報告の中で１つまたは複数のパラメータを報告することと比較してネットワークリソースを温存し得る。いくつかの態様では、ＵＥ４１０は、パターンが要求されるべきであることを（たとえば、上記で説明したように、トリガを検出することに少なくとも部分的に基づいて）決定してよく、パターンが要求されるべきであることを決定することに少なくとも部分的に基づいて、１つまたは複数のパラメータを報告してよい。追加または代替として、基地局４２０は、ＵＥ４１０がパターンを用いて構成されるべきであることを決定してよく、決定に少なくとも部分的に基づいて１つまたは複数のパラメータをＵＥ４１０に要求してよい。このようにして、ネットワークリソースおよび処理リソースは、必要に応じて１つまたは複数のパラメータを要求および／または報告することによって温存され得る。
【００６０】
[0065]参照番号４７０によって示されるように、ＵＥ４１０は、パターンを使用してバッテリー回復時間期間（および／または１つもしくは複数の他の時間期間）を構成してよい。たとえば、ＵＥ４１０は、パターンに少なくとも部分的に基づいて、異なるＵＥモードを構成する、１つまたは複数のＵＥ構成要素をアクティブ化または非アクティブ化するなどしてよい。例４００では、ＵＥ４１０は、時間の長さｔ２にわたってスリープモード４４０を構成してよく、次いで、時間の長さｔ３にわたって受信専用時間期間４５０を構成してよく、次いで、時間の長さｔ１にわたって送信時間期間４６０を構成してよく、以下同様である。
【００６１】
[0066]いくつかの態様では、ＵＥが半二重モード（たとえば、送信専用モードまたは受信専用モード）で通信するように構成された後、ＵＥ４１０がパターンを使用して構成されてよい。たとえば、ＵＥ４１０は、（たとえば、バッテリー回復がトリガされるべきであることを示す）電圧ドループおよび／または電圧降下がしきい値を満足するという決定に少なくとも部分的に基づいて、半二重モードで通信するように（たとえば、全二重モードから半二重モードに切り替えるように）構成されてよい。ＵＥ４１０が半二重モードで動作している間、ＵＥ４１０は、さらなるバッテリー回復が必要とされることを（たとえば、電圧ドループおよび／または電圧降下がしきい値を満足することに少なくとも部分的に基づいて）決定してよい。この場合、ＵＥ４１０は、半二重モードで動作するように構成された後にさらなるバッテリー回復を可能にするために、バッテリー回復時間期間を含むパターンを適用してよい。
【００６２】
[0067]参照番号４８０によって示されるように、ＵＥ４１０は、パターンおよび／またはバッテリー回復時間期間に少なくとも部分的に基づいて通信してよい。たとえば、ＵＥ４１０は、スリープモード４４０中に通信を防止する、受信専用時間期間４５０中に通信の受信のみを許容する、送信時間期間４６０中に通信の受信と送信とを許容するなどしてよい。このようにして、ＵＥ４１０のバッテリーは、電圧降下および／または電圧ドループから回復することが可能にされてよく、それによって、性能を高めるとともにバッテリー寿命を延ばす。
【００６３】
[0068]上記のように、図４は一例として提供されるにすぎない。他の例が可能であり、図４に関して説明されたものと異なってよい。
【００６４】
[0069]図５は、ユーザ機器に対するバッテリー回復時間期間を構成する別の例５００を示す図である。図５は、異なる時間期間中にＵＥバッテリーにかかる異なる負荷をもたらす（「イベント」として示す）ＵＥモードの例示的なパターンを示す。上記のように、例示的なＵＥモードは、ＵＥが通信を受信することが許容されるが通信を送信することは許容されないモード（たとえば、受信専用半二重モード）、ＵＥが通信を送信することが許容されるが通信を受信することは許容されないモード（たとえば、送信専用半二重モード）、ＵＥが通信を送信および受信することが許容されるモード（たとえば、全二重モード）、ＵＥがセル探索を実行することが許容されるモード、ＵＥのアウェイクモード（たとえば、間欠受信（ＤＲＸ）サイクルのオン持続時間）、ＵＥのスリープモード（たとえば、ＤＲＸサイクルのオフ持続時間）などを含む。
【００６５】
[0070]いくつかの態様では、異なるパターンは、受信専用半二重モード、送信専用半二重モード、スリープモードなどの、バッテリー回復時間期間に対する異なるＵＥモードおよび／またはＵＥモードの組合せを含んでよい。追加または代替として、異なるパターンは、バッテリー回復時間期間中にアクティブである１つまたは複数のＵＥモードに対する異なる時間期間（たとえば、図５に示すような、異なる長さの時間ｔ１および／または時間ｔ２）などの、バッテリー回復時間期間に対する異なる時間期間（たとえば、ＵＥバッテリーにおける電流がピーク電流よりも小さい時間期間）を含んでよい。
【００６６】
[0071]追加または代替として、異なるパターンは、異なる数のＵＥモードを含んでよい。たとえば、例５００はパターンの中に３つのＵＥモードを示すが、パターンは、２つのＵＥモード、４つのＵＥモード、５つのＵＥモードなどを含んでよい。追加または代替として、異なるパターンは、異なるシーケンスのＵＥモード、シーケンスの中に含まれる１つまたは複数のＵＥモードに対する異なる時間期間などを含んでよい。
【００６７】
[0072]いくつかの態様では、パターンの第１の繰返しは、パターンの第２の繰返しと比較してＵＥモードに対する異なる時間期間を含んでよい。たとえば、図５に示すパターンの第１の繰返し５１０では、ｔ１、ｔ２、および／またはｔ３という値のうちの１つまたは複数は、パターンの第２の繰返し５２０中のｔ１、ｔ２、および／またはｔ３の対応する値とは異なってよい。いくつかの態様では、パターンは、経時的に動的に調整され得る。たとえば、パターンは、同じシーケンスのＵＥモードを含んでよいが、それらのＵＥモードのうちの１つまたは複数に関連する時間期間は、図４に関して上記で説明したような、ＵＥに関連する１つまたは複数のパラメータに少なくとも部分的に基づいて動的に更新され得る。いくつかの態様では、基地局は、パターンを調整するために（たとえば、ＵＥモードに対する時間期間を調整するために）、ＵＥから受信された直近の電力ヘッドルーム報告、および／またはＵＥに関連する直近のパラメータを使用してパターンを選択するなどしてよい。このようにして、パターンは、ＵＥ性能を改善するように動的に調整されてよく、ＵＥバッテリーの電圧が限界しきい値を下回る可能性を防止または低減し得る。
【００６８】
[0073]上記のように、図５は一例として提供されるにすぎない。他の例が可能であり、図５に関して説明されたものと異なってよい。
【００６９】
[0074]図６は、ユーザ機器に対するバッテリー回復時間期間を構成する別の例６００を示す図である。図６は、スリープモードと送信モードとを含む２つのＵＥモードの例示的なパターンを示す。例６００では、パターンは、（たとえば、長さがｔ２の）スリープモードおよび（たとえば、長さがｔ１の）送信モードという、交互のＵＥモードを含む。この場合、ＵＥは、図５に関して上記で説明したように受信専用モードを用いて構成されない（たとえば、受信専用モードは長さが０である）。受信専用モードがセル探索を実行中のＵＥに対応する場合には、受信専用モード（または、セル探索モード）はパターンから除外されてよい。たとえば、ＵＥが、セル探索を実行する必要がない（または、セル探索をまれにしか実行する必要がない）固定のＵＥであるとき、受信専用モードはパターンから除外されてよい。バッテリー回復時間期間を含む追加の例示的なパターン、およびＵＥに関連する１つまたは複数のパラメータに少なくとも部分的に基づいてそのようなパターンを用いてＵＥを構成する例が、次に説明される。
【００７０】
[0075]いくつかの態様では、パターンおよび／またはバッテリー回復時間期間は、ＵＥに関連する送信電力に依存し得る。たとえば、ＵＥがより大きい送信電力（たとえば、最大送信電力、しきい値を満足する送信電力など）を使用して１つまたは複数の通信を送信すべきである場合、パターンは、ＵＥがより小さい送信電力（たとえば、しきい値を満足しない送信電力）を使用して１つまたは複数の通信を送信すべきであるときよりも長いバッテリー回復時間期間を含んでよい。いくつかの態様では、送信電力がしきい値を満足しない（たとえば、しきい値よりも小さいかまたはそれに等しい）とき、パターンはバッテリー回復時間期間を除外してよい。このようにして、バッテリー回復時間期間が不必要であるときに送信の中断を防止することによって、レイテンシが低減され得る。
【００７１】
[0076]いくつかの態様では、パターンおよび／またはバッテリー回復時間期間は、ＵＥのモビリティ特性に依存し得る。たとえば、ＵＥが固定であるか、またはしきい値を満足しない速度を伴って移動している場合、パターンは（たとえば、スリープモードの後の）セル探索モードを除外してよい。反対に、ＵＥがモバイルであるか、またはしきい値を満足する速度を伴って移動している場合、パターンは、（たとえば、スリープモードの後に）セル探索モードを含んでよい。このようにして、ＵＥの処理リソースは、セル探索が不必要であるときにセル探索をスキップすることによって温存され得る。
【００７２】
[0077]いくつかの態様では、パターンおよび／またはバッテリー回復時間期間は、ＵＥバッテリーに関連するバッテリー回復特性に依存し得る。たとえば、ＵＥバッテリーが小さい負荷（たとえば、しきい値よりも小さいかまたはそれに等しい）またはゼロ負荷のみを伴って電圧を回復することが可能な場合、バッテリー回復時間期間はスリープモードを含んでよく、および／またはより長い時間期間にわたって構成されてよい。反対に、ＵＥバッテリーが、電流がピーク電流よりも小さいがしきい値よりも大きいときに電圧を回復することが可能な場合、バッテリー回復時間期間はスリープモード（たとえば、受信専用モード）以外のモードを含んでよく、および／またはより短い時間期間にわたって構成されてよい。このようにして、パターンは、性能を改善または最適化するためにＵＥバッテリーに少なくとも部分的に基づいてカスタマイズされ得る。いくつかの態様では、ＵＥは、バッテリー回復特性を示す情報（たとえば、ＵＥの中でハードコーディングされ得る）を記憶し得る。追加または代替として、ＵＥは、１つまたは複数のバッテリーパラメータ（たとえば、負荷、電流、電圧など）を測定してよく、バッテリー回復特性を決定するためにそのような測定値を使用してよい。いくつかの態様では、バッテリー回復特性は、ＵＥバッテリーに関連する電圧ドループ、ＵＥバッテリーに関連する電圧降下などを含んでよい。
【００７３】
[0078]いくつかの態様では、パターンおよび／またはバッテリー回復時間期間は、ＵＥに関連する反復の回数に依存し得る。たとえば、ＵＥがより多数の反復される通信を送信または受信するように構成される場合、パターンは、基地局との同時性を維持するための測定値を取得するために、より多くのおよび／またはより長い受信時間期間を含んでよい。ＵＥがより少数の反復される通信を送信または受信するように構成される場合、パターンは、より少ないおよび／またはより短い受信時間期間を含んでよい。いくつかの態様では、パターンおよび／またはバッテリー回復時間期間は、ＵＥのカテゴリーに依存し得る。いくつかの態様では、ＵＥのカテゴリーは、ＵＥによって使用される反復の回数、ＵＥに関連する最大送信電力、ＵＥに関連するピーク電流などを規定し得る。
【００７４】
[0079]いくつかの態様では、パターンおよび／またはバッテリー回復時間期間は、ＵＥに関連するピーク電流および／または最大送信電力に依存し得る。たとえば、ＵＥがより大きいピーク電流および／またはより大きい最大送信電力をサポートする場合、ＵＥが電圧降下および／または電圧ドループから急速に回復することが可能であり得るので、パターンは、より短いバッテリー回復時間期間および／またはより少ないバッテリー回復時間期間を含んでよい。反対に、ＵＥがより小さいピーク電流および／またはより小さい最大送信電力しかサポートしない場合、パターンは、より長いバッテリー回復時間期間および／またはより多くのバッテリー回復時間期間を含んでよい。
【００７５】
[0080]いくつかの態様では、パターンおよび／またはバッテリー回復時間期間は、ＵＥバッテリーが非充電式バッテリー（たとえば、１次バッテリー）であるのかそれとも充電式バッテリー（たとえば、２次バッテリー）であるのかに依存し得る。たとえば、ＵＥバッテリーが充電式バッテリーである場合、充電式バッテリーがより大きい電流処理能力および／またはより速い回復時間を有してよいので、パターンは、より短いバッテリー回復時間期間および／またはより少ないバッテリー回復時間期間を含んでよい。反対に、ＵＥバッテリーが非充電式バッテリーである場合、パターンは、より長いバッテリー回復時間期間および／またはより多くのバッテリー回復時間期間を含んでよい。
【００７６】
[0081]いくつかの態様では、パターンおよび／またはバッテリー回復時間期間は、ＵＥバッテリーの残り容量に依存し得る。たとえば、ＵＥバッテリーが（たとえば、経時的な使用量に起因して）より少量のまたはより小さいパーセンテージの残り容量しか有しない場合、パターンは、より長いバッテリー回復時間期間および／またはより多くのバッテリー回復時間期間を含んでよい。反対に、ＵＥバッテリーがより大量またはより大きいパーセンテージの残り容量を有する場合、パターンは、より短いバッテリー回復時間期間および／またはより少ないバッテリー回復時間期間を含んでよい。このようにして、パターンは、ＵＥバッテリー容量が減少するにつれて増大するＵＥバッテリーの内部抵抗値を考慮してよく、そうした内部抵抗値は、ピーク電流においてＵＥバッテリーのより大きい電圧降下につながることがあり、したがって、より多くのおよび／またはより長いバッテリー回復時間期間を必要とすることがある。
【００７７】
[0082]いくつかの態様では、パターンおよび／またはバッテリー回復時間期間は、送信のペイロードサイズおよび／または送信の長さに依存し得る。たとえば、ペイロードサイズがより大きいかまたは送信長がより長い１つまたは複数の通信をＵＥが送信している場合、パターンは、バッテリー電圧を限界しきい値を上回って維持もしながら、そのような送信に対応するように構成されてよい。たとえば、パターンは、バッテリー電圧を限界しきい値を上回って維持しながら、送信時間期間中に発生するバッテリー回復時間期間の数を最小化するように構成されてよい。このようにして、レイテンシが低減され得る。いくつかの態様では、パターンは、送信のペイロードサイズ および／または長さに少なくとも部分的に基づいて時間的に離間されている複数のバッテリー回復時間期間を含んでよい。
【００７８】
[0083]いくつかの態様では、パターンおよび／またはバッテリー回復時間期間は、ＵＥの中に含まれるバッテリーの個数に依存し得る。たとえば、ＵＥがより多くのバッテリー（たとえば、複数のバッテリー、しきい値よりも大きい個数のバッテリーなど）を含む場合、ＵＥが電力を供給するために別のバッテリーを使用することが可能であり得るので、パターンは、より短いバッテリー回復時間期間および／またはより少ないバッテリー回復時間期間を含んでよい。ＵＥがより少ないバッテリー（たとえば、単一のバッテリー、しきい値よりも小さい個数のバッテリーなど）しか含まない場合、ＵＥが電力を供給するために別のバッテリーを使用することが可能でないことがあるので、パターンは、より長いバッテリー回復時間期間および／またはより多くのバッテリー回復時間期間を含んでよい。
【００７９】
[0084]いくつかの態様では、パターンおよび／またはバッテリー回復時間期間は、ＵＥの能力に依存し得る。たとえば、異なるＵＥは、異なるパターンを処理することが可能であり得る。この場合、ＵＥは、ＵＥが処理することが可能なパターンを基地局にシグナリングしてよい。そのようなシグナリングは、たとえば、ＲＲＣシグナリング中に、（たとえば、電力ヘッドルーム報告の中での）１つまたは複数のパラメータの報告に関連して、パターンを要求することに関連してなどで、行われてよい。このようにして、ネットワークリソースおよび処理リソースは、ＵＥが処理することが可能なパターンを使用するようにＵＥが命令されることのみを確実にすることによって温存され得る。
【００８０】
[0085]上記で説明した異なるパターンおよびパターン調整は例として提供され、ＵＥに対するバッテリー回復時間期間を構成するために他のパターンおよびパターン調整が使用されてよい。
【００８１】
[0086]上記のように、図６は一例として提供されるにすぎない。他の例が可能であり、図６に関して説明されたものと異なってよい。
【００８２】
[0087]図７は、ユーザ機器に対するバッテリー回復時間期間を構成する例７００を示す図である。図７に示すように、ＵＥ７１０は基地局７２０と通信し得る。いくつかの態様では、ＵＥ７１０は、ＵＥ１２０、ＵＥ４１０などの、本明細書における他の場所で説明される１つまたは複数のＵＥに相当し得る。いくつかの態様では、基地局７２０は、基地局１１０、基地局４２０などの、本明細書における他の場所で説明される１つまたは複数の基地局に相当し得る。
【００８３】
[0088]参照番号７３０によって示されるように、ＵＥ７１０は、ＵＥ７１０の少なくとも１つのバッテリーのバッテリー特性を識別し得る。本明細書における他の場所で説明されるように、バッテリー特性は、たとえば、少なくとも１つのバッテリーのピーク電流、少なくとも１つのバッテリーに関連する電圧ドループ、少なくとも１つのバッテリーに関連する電圧降下、少なくとも１つのバッテリーの残り容量、ＵＥ７１０の中に含まれるバッテリーの個数、少なくとも１つのバッテリーが非充電式バッテリーであるのかそれとも充電式バッテリーであるのか、少なくとも１つのバッテリーの回復負荷に関するバッテリー回復特性などを含んでよい。
【００８４】
[0089]さらに図示するように、ＵＥ７１０は、バッテリー特性に少なくとも部分的に基づいて半二重モードまたは全二重モードを構成してよい。追加または代替として、ＵＥ７１０は、１つまたは複数の通信のためにＵＥ７１０によって使用されるべき送信電力に少なくとも部分的に基づいて、半二重モードまたは全二重モードを構成してよい。追加または代替として、本明細書における他の場所で説明されるように、ＵＥ７１０は、１つまたは複数の通信に関連するペイロードサイズ、１つまたは複数の通信の送信の長さ、ＵＥ７１０に関連する反復の回数、少なくとも１つのバッテリーの特性、少なくとも１つのバッテリーに関連する１つまたは複数の測定値に少なくとも部分的に基づいて決定される、少なくとも１つのバッテリーのバッテリーパラメータ、ＵＥ７１０のモビリティ特性、ＵＥ７１０の能力、ＵＥ７１０のカテゴリーなどの、ＵＥ７１０に関連する１つまたは複数の他のパラメータに少なくとも部分的に基づいて半二重モードまたは全二重モードを構成してよい。
【００８５】
[0090]参照番号７４０によって示されるように、ＵＥ７１０は、半二重モードまたは全二重モードを使用して基地局７２０と通信してよい。たとえば、ＵＥ７１０は、半二重モードまたは全二重モードを構成することに少なくとも部分的に基づいて、半二重モードまたは全二重モードを使用して１つまたは複数の通信を送信してよい。
【００８６】
[0091]いくつかの態様では、ＵＥ７１０は、送信電力がしきい値を満足する（たとえば、しきい値よりも大きいかまたはそれに等しい）ときに半二重モードを構成してよい。いくつかの態様では、ＵＥ７１０は、送信電力がしきい値を満足しない（たとえば、しきい値よりも小さいかまたはそれに等しい）ときに全二重モードを構成してよい。このようにして、ＵＥ７１０は、たとえば、バッテリーにかかるアクティブな負荷を低減するために半二重モードに切り替えることによって、バッテリー電力を温存してよく、バッテリー電圧が限界しきい値を下回る可能性を防止または低減し得る。いくつかの態様では、しきい値は、（たとえば、ＵＥ７１０によって基地局７２０へ送信される電力ヘッドルーム報告に応答して、パターンを求めるＵＥ７１０による要求に応答してなどで）基地局７２０によってＵＥ７１０に示されてよい。いくつかの態様では、しきい値は、少なくとも１つのバッテリーの特性に少なくとも部分的に基づいてＵＥ７１０によって決定されてよい。
【００８７】
[0092]いくつかの態様では、ＵＥ７１０は、ＵＥ条件（たとえば、ＵＥ７１０によって使用されるべき送信電力、ＵＥ７１０に関連する１つまたは複数のパラメータ、ＵＥ７１０に関連する１つまたは複数のバッテリー特性など）に少なくとも部分的に基づいて半二重モードと全二重モードとの間で動的に切り替えてよい。このようにして、ＵＥ７１０は、バッテリー電圧が限界しきい値を下回りそうにないときに全二重モードを使用することによって性能を改善し得、切り替えないとバッテリー電圧が限界しきい値を下回りそうなときに半二重モードに切り替えることによってバッテリー電圧を限界しきい値のあたりに維持し得る。
【００８８】
[0093]上記のように、図７は一例として提供されるにすぎない。他の例が可能であり、図７に関して説明されたものと異なってよい。
【００８９】
[0094]図８は、ワイヤレス通信の方法８００のフローチャートである。方法は、ＵＥ（たとえば、ＵＥ１２０、ＵＥ４１０、ＵＥ７１０、装置１００２／１００２’など）によって実行され得る。
【００９０】
[0095]８１０において、ＵＥは、バッテリー回復時間期間を識別するパターンを識別してよい。たとえば、図３〜図７に関して上記で説明したように、ＵＥは、（たとえば、コントローラ／プロセッサ２８０などを使用して）パターンを識別してよく、パターンは、ＵＥの少なくとも１つのバッテリーの電圧が電圧ドループから回復するバッテリー回復時間期間を識別する。
【００９１】
[0096]いくつかの態様では、パターンは、異なるバッテリー回復時間期間を含む複数のパターンから選択される。いくつかの態様では、パターンはＵＥによって要求される。いくつかの態様では、パターンは基地局によってＵＥに示される。いくつかの態様では、パターンは、システム情報ブロック、無線リソース制御シグナリングメッセージ、またはそれらの組合せのうちの少なくとも１つの中でＵＥに示される。
【００９２】
[0097]いくつかの態様では、パターンは、ＵＥに関連する１つまたは複数のパラメータに少なくとも部分的に基づいて識別される。いくつかの態様では、１つまたは複数のパラメータは、ＵＥに関連する送信電力、１つまたは複数の通信に関連するペイロードサイズ、１つまたは複数の通信の送信の長さ、ＵＥに関連する反復の回数、少なくとも１つのバッテリーの特性、少なくとも１つのバッテリーに関連する１つまたは複数の測定値に少なくとも部分的に基づいて決定される、少なくとも１つのバッテリーのバッテリーパラメータ、ＵＥのモビリティ特性、ＵＥの能力、ＵＥのカテゴリー、またはそれらの組合せのうちの少なくとも１つを含む。いくつかの態様では、少なくとも１つのバッテリーの特性は、少なくとも１つのバッテリーのピーク電流、少なくとも１つのバッテリーに関連する電圧ドループ、少なくとも１つのバッテリーに関連する電圧降下、少なくとも１つのバッテリーの残り容量、ＵＥの中に含まれるバッテリーの個数、少なくとも１つのバッテリーが非充電式バッテリーであるのかそれとも充電式バッテリーであるのか、少なくとも１つのバッテリーの回復負荷に関するバッテリー回復特性、またはそれらの組合せのうちの少なくとも１つを含む。
【００９３】
[0098]いくつかの態様では、１つまたは複数のパラメータは、電力ヘッドルーム報告または帯域内シグナリングに関連して基地局に報告される。いくつかの態様では、パターンは、１つまたは複数のパラメータに少なくとも部分的に基づいて基地局によってＵＥに示される。いくつかの態様では、パターンは、ＵＥが通信を受信することが許容されるが通信を送信することは許容されない第１の時間期間、ＵＥが通信を送信することが許容されるが通信を受信することは許容されない第２の時間期間、ＵＥが通信を送信および受信することが許容される第３の時間期間、ＵＥがセル探索を実行することが許容される第４の時間期間、ＵＥのウェイク期間に対応する第５の時間期間、ＵＥのスリープ期間に対応する第６の時間期間、ＵＥの性能を改善することに関連するアクティビティに対応する第７の時間期間、またはそれらの組合せのうちの少なくとも１つを示す。
【００９４】
[0099]８２０において、ＵＥは、パターンに少なくとも部分的に基づいてバッテリー回復時間期間を構成してよい。たとえば、図３〜図７に関して上記で説明したように、ＵＥは、パターンに少なくとも部分的に基づいてバッテリー回復時間期間を（たとえば、コントローラ／プロセッサ２８０などを使用して）構成してよい。
【００９５】
[00100]いくつかの態様では、ＵＥが半二重モードで通信するように構成された後、バッテリー回復時間期間がパターンを使用して構成される。いくつかの態様では、電圧ドループがしきい値を満足するという決定に少なくとも部分的に基づいて、ＵＥは半二重モードで通信するように構成される。
【００９６】
[00101]８３０において、ＵＥは、パターンに少なくとも部分的に基づいて基地局と通信してよい。たとえば、図３〜図７に関して上記で説明したように、ＵＥは、バッテリー回復時間期間を構成することに少なくとも部分的に基づいて、および／またはパターンに少なくとも部分的に基づいて、基地局と通信してよい（たとえば、アンテナ２５２、ＤＥＭＯＤ２５４、ＭＩＭＯ検出器２５６、受信プロセッサ２５８、コントローラ／プロセッサ２８０、送信プロセッサ２６４、ＴＸ  ＭＩＭＯプロセッサ２６６、ＭＯＤ２５４などを使用することなどによって、送信および／または受信してよい）。
【００９７】
[00102]図８はワイヤレス通信の方法の例示的なブロックを示すが、いくつかの態様では、方法は、追加のブロック、もっと少ないブロック、異なるブロック、または図８に示すものとは異なって構成されたブロックを含んでよい。追加または代替として、図８に示す２つ以上のブロックが並行して実行されてよい。
【００９８】
[00103]図９は、ワイヤレス通信の方法９００のフローチャートである。方法は、ＵＥ（たとえば、ＵＥ１２０、ＵＥ４１０、ＵＥ７１０、装置１００２／１００２’など）によって実行され得る。
【００９９】
[00104]９１０において、ＵＥは、ＵＥの少なくとも１つのバッテリーの特性を識別してよい。たとえば、図３〜図７に関して上記で説明したように、ＵＥは、ＵＥの少なくとも１つのバッテリーの特性を（たとえば、コントローラ／プロセッサ２８０などを使用して）識別してよい。いくつかの態様では、少なくとも１つのバッテリーの特性は、少なくとも１つのバッテリーのピーク電流、少なくとも１つのバッテリーに関連する電圧ドループ、少なくとも１つのバッテリーに関連する電圧降下、少なくとも１つのバッテリーの残り容量、ＵＥの中に含まれるバッテリーの個数、少なくとも１つのバッテリーが非充電式バッテリーであるのかそれとも充電式バッテリーであるのか、少なくとも１つのバッテリーの回復負荷に関するバッテリー回復特性、またはそれらの組合せのうちの少なくとも１つを含む。
【０１００】
[00105]９２０において、ＵＥは、特性に少なくとも部分的に基づいて半二重モードまたは全二重モードを構成してよい。たとえば、図３〜図７に関して上記で説明したように、ＵＥは、特性、および／または１つもしくは複数の通信のためにＵＥによって使用されるべき送信電力に少なくとも部分的に基づいて、半二重モードまたは全二重モードを（たとえば、コントローラ／プロセッサ２８０などを使用して）構成してよい。
【０１０１】
[00106]いくつかの態様では、送信電力がしきい値を満足するときに半二重モードが構成され、または送信電力がしきい値を満足しないときに全二重モードが構成される。いくつかの態様では、しきい値は、基地局によってＵＥに示されるか、または少なくとも１つのバッテリーの特性に少なくとも部分的に基づいてＵＥによって決定される。
【０１０２】
[00107]９３０において、ＵＥは、半二重モードまたは全二重モードを使用して１つまたは複数の通信を送信してよい。たとえば、図３〜図７に関して上記で説明したように、ＵＥは、半二重モードまたは全二重モードを構成することに少なくとも部分的に基づいて、半二重モードまたは全二重モードを使用して１つまたは複数の通信を（たとえば、コントローラ／プロセッサ２８０、送信プロセッサ２６４、ＴＸ  ＭＩＭＯプロセッサ２６６、ＭＯＤ２５４、アンテナ２５２などを使用して）送信してよい。
【０１０３】
[00108]図９はワイヤレス通信の方法の例示的なブロックを示すが、いくつかの態様では、方法は、追加のブロック、もっと少ないブロック、異なるブロック、または図９に示すものとは異なって構成されたブロックを含んでよい。追加または代替として、図９に示す２つ以上のブロックが並行して実行されてよい。
【０１０４】
[00109]図１０は、例示的な装置１００２における異なるモジュール／手段／構成要素の間のデータフローを示す概念データフロー図１０００である。装置１００２はＵＥであってよい。いくつかの態様では、装置１００２は、受信モジュール１００４、識別モジュール１００６、構成モジュール１００８、送信モジュール１０１０などを含む。
【０１０５】
[00110]いくつかの態様では、受信モジュール１００４は、基地局１０５０からデータ１０１２を受信し得る。データ１０１２は、バッテリー回復時間期間を識別するパターンを示してよく、および／またはパターンを決定するために使用されるべき情報を含んでよい。受信モジュール１００４は、パターンおよび／または情報をデータ１０１４として識別モジュール１００６に提供し得る。識別モジュール１００６は、パターンを識別し得、パターンをデータ１０１６として構成モジュール１００８に示し得る。構成モジュール１００８は、データ１０１８（たとえば、命令）および／またはデータ１０２０（たとえば、命令）を受信モジュール１００４および／または送信モジュール１０１０に提供して、バッテリー回復時間期間に対して１つまたは複数のＵＥ構成要素をアクティブ化および／または非アクティブ化することなどによって、パターンに少なくとも部分的に基づいてバッテリー回復時間期間を構成し得る。構成に少なくとも部分的に基づいて、受信モジュール１００４は（たとえば、基地局１０５０から）追加データ１０１２を受信し得、および／または送信モジュール１０１０はデータ１０２２を（たとえば、基地局１０５０へ）送信し得る。
【０１０６】
[00111]追加または代替として、識別モジュール１００６は、装置１００２の少なくとも１つのバッテリーの特性を識別し得、特性に関する情報をデータ１０１６として構成モジュール１００８に提供し得る。構成モジュール１００８は、特性、および／または１つもしくは複数の通信のために装置１００２によって使用されるべき送信電力に少なくとも部分的に基づいて、半二重モードまたは全二重モードを構成し得る。たとえば、構成モジュール１００８は、データ１０１８（たとえば、命令）および／またはデータ１０２０（たとえば、命令）を受信モジュール１００４および／または送信モジュール１０１０に提供して、半二重モードまたは全二重モードに対して１つまたは複数のＵＥ構成要素をアクティブ化および／または非アクティブ化することによって、全二重モードの半二重モードを構成し得る。構成に少なくとも部分的に基づいて、受信モジュール１００４は（たとえば、基地局１０５０から）追加データ１０１２を受信し得、および／または送信モジュール１０１０はデータ１０２２を（たとえば、基地局１０５０へ）送信し得る。
【０１０７】
[00112]装置は、図８および／または図９の上述のフローチャートにおけるアルゴリズムのブロックの各々を実行する追加のモジュールを含んでよい。したがって、図８および／または図９の上述のフローチャートにおける各ブロックはモジュールによって実行されてよく、装置は、それらのモジュールのうちの１つまたは複数を含んでよい。モジュールは、述べられたプロセス／アルゴリズムを実行するように特に構成された１つまたは複数のハードウェア構成要素であってよく、述べられたプロセス／アルゴリズムを実行するように構成されたプロセッサによって実施されてよく、プロセッサによる実施のためにコンピュータ可読媒体内に記憶されてよく、またはそれらの組合せであってよい。
【０１０８】
[00113]図１０に示すモジュールの数および構成は一例として提供される。実際には、追加のモジュール、もっと少ないモジュール、異なるモジュール、または図１０に示すものとは異なって構成されたモジュールがあってよい。さらに、図１０に示す２つ以上のモジュールが、単一のモジュール内に実装されてよく、または図１０に示す単一のモジュールが、複数の分散されたモジュールとして実装されてもよい。追加または代替として、図１０に示すモジュールのセット（たとえば、１つまたは複数のモジュール）は、図１０に示すモジュールの別のセットによって実行されるものとして説明される１つまたは複数の機能を実行してよい。
【０１０９】
[00114]図１１は、処理システム１１０２を採用する装置１００２’のためのハードウェア実装形態の一例を示す図１１００である。装置１００２’はＵＥであってよい。
【０１１０】
[00115]処理システム１１０２は、バス１１０４によって概略的に表されるバスアーキテクチャを用いて実装され得る。バス１１０４は、処理システム１１０２の特定の適用例および全体的な設計制約に応じて、任意の数の相互接続バスとブリッジとを含んでよい。バス１１０４は、プロセッサ１１０６によって表される１つまたは複数のプロセッサおよび／またはハードウェアモジュールと、モジュール１００４、１００６、１００８、および／または１０１０と、コンピュータ可読媒体／メモリ１１０８とを含む、様々な回路を互いにリンクする。バス１１０４はまた、タイミングソース、周辺機器、電圧調節器、および電力管理回路などの様々な他の回路をリンクしてよく、これらの回路は当技術分野でよく知られており、したがって、これ以上説明しない。
【０１１１】
[00116]処理システム１１０２は、トランシーバ１１１０に結合され得る。トランシーバ１１１０は、１つまたは複数のアンテナ１１１２に結合される。トランシーバ１１１０は、伝送媒体を介して様々な他の装置と通信するための手段を提供する。トランシーバ１１１０は、１つまたは複数のアンテナ１１１２から信号を受け取り、受け取られた信号から情報を抽出し、抽出された情報を処理システム１１０２、特に受信モジュール１００４に提供する。加えて、トランシーバ１１１０は、処理システム１１０２、特に送信モジュール１０１０から情報を受け取り、受け取られた情報に少なくとも部分的に基づいて、１つまたは複数のアンテナ１１１２に印加されるべき信号を生成する。処理システム１１０２は、コンピュータ可読媒体／メモリ１１０８に結合されたプロセッサ１１０６を含む。プロセッサ１１０６は、コンピュータ可読媒体／メモリ１１０８上に記憶されたソフトウェアの実行を含む、全体的な処理を担当する。ソフトウェアは、プロセッサ１１０６によって実行されたとき、任意の特定の装置に対して上記で説明した様々な機能を処理システム１１０２に実行させる。コンピュータ可読媒体／メモリ１１０８はまた、ソフトウェアを実行するときにプロセッサ１１０６によって操作されるデータを記憶するために使用され得る。処理システムは、モジュール１００４、１００６、１００８、および／または１０１０のうちの少なくとも１つをさらに含む。モジュールは、コンピュータ可読媒体／メモリ１１０８の中に常駐する／記憶された、プロセッサ１１０６の中で動作するソフトウェアモジュール、プロセッサ１１０６に結合された１つまたは複数のハードウェアモジュール、またはそれらの組合せであってよい。処理システム１１０２は、ＵＥ１２０の構成要素であってよく、メモリ２８２、ならびに／またはＴＸ  ＭＩＭＯプロセッサ２６６、ＲＸプロセッサ２５８、および／もしくはコントローラ／プロセッサ２８０のうちの少なくとも１つを含んでよい。
【０１１２】
[00117]いくつかの態様では、ワイヤレス通信のための装置１００２／１００２’は、装置の少なくとも１つのバッテリーの電圧が電圧ドループから回復するバッテリー回復時間期間を識別するパターンを識別するための手段、パターンに少なくとも部分的に基づいてバッテリー回復時間期間を構成するための手段、パターンに少なくとも部分的に基づいて基地局と通信するための手段などを含む。追加または代替として、ワイヤレス通信のための装置１００２／１００２’は、装置の少なくとも１つのバッテリーの特性を識別するための手段、特性、および１つまたは複数の通信のためにＵＥによって使用されるべき送信電力に少なくとも部分的に基づいて、半二重モードまたは全二重モードを構成するための手段、半二重モードまたは全二重モードを構成することに少なくとも部分的に基づいて、半二重モードまたは全二重モードを使用して１つまたは複数の通信を送信するための手段などを含む。上述の手段は、上述の手段によって記載された機能を実行するように構成された装置１００２、および／または装置１００２’の処理システム１１０２の、上述のモジュールのうちの１つまたは複数であってよい。上記で説明したように、処理システム１１０２は、ＴＸ  ＭＩＭＯプロセッサ２６６、ＲＸプロセッサ２５８、および／またはコントローラ／プロセッサ２８０を含んでよい。したがって、一構成では、上述の手段は、上述の手段によって記載された機能を実行するように構成されたＴＸ  ＭＩＭＯプロセッサ２６６、ＲＸプロセッサ２５８、および／またはコントローラ／プロセッサ２８０であってよい。
【０１１３】
[00118]図１１は一例として提供される。他の例が可能であり、図１１に関して説明したものとは異なってよい。
【０１１４】
[00119]開示するプロセス／フローチャートにおけるブロックの特定の順序または階層が例示的な手法の例示であることを理解されたい。設計選好に基づいて、プロセス／フローチャートにおけるブロックの特定の順序または階層が並べ替えられてよいことを理解されたい。さらに、いくつかのブロックは組み合わせられてよく、または省かれてもよい。添付の方法クレームは、様々なブロックの要素を例示的な順序で提示したものであり、提示された特定の順序または階層に限定されるものではない。
【０１１５】
[00120]以上の説明は、本明細書で説明した様々な態様を当業者が実践することが可能となるように提供される。これらの態様の様々な修正が当業者には容易に明らかであり、本明細書で定義する一般原理は他の態様に適用され得る。したがって、特許請求の範囲は、本明細書で示した態様に限定されるものではなく、クレーム文言に一致する最大の範囲が与えられるべきであり、単数形での要素への言及は、そのように明記されていない限り、「唯一無二の」を意味するものではなく、「１つまたは複数の」を意味するものである。「例示的」という語は、「例、事例、または例示の働きをすること」を意味するために本明細書で使用される。「例示的」として本明細書で説明したいかなる態様も、必ずしも他の態様よりも好適または有利なものと解釈すべきではない。別段に明記されていない限り、「いくつかの」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含んでよい。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであってよく、ここで、任意のそのような組合せは、Ａ、Ｂ、またはＣのうちの１つまたは複数のメンバを含んでよい。当業者に知られているかまたは後で知られることになる、本開示全体にわたって説明した様々な態様の要素に対するすべての構造的および機能的な均等物は、参照により本明細書に明確に組み込まれ、特許請求の範囲によって包含されることを意図する。その上、本明細書で開示するいかなることも、そのような開示が特許請求の範囲に明示的に記載されているかどうかにかかわらず、公に供するものではない。いかなるクレーム要素も、その要素が「のための手段」という句を使用して明確に記載されていない限り、ミーンズプラスファンクションとして解釈されるべきではない。
【図１】
2020521394.tif 000003
【図２】
2020521394.tif 000004
【図３】
2020521394.tif 000005
【図４】
2020521394.tif 000006
【図５】
2020521394.tif 000007
【図６】
2020521394.tif 000008
【図７】
2020521394.tif 000009
【図８】
2020521394.tif 000010
【図９】
2020521394.tif 000011
【図１０】
2020521394.tif 000012
【図１１】
2020521394.tif 000013
【国際調査報告】
2020521394.tif 000014
2020521394.tif 000015
2020521394.tif 000016
2020521394.tif 000017